(57)【要約】【課題】プラグおよび電線を接続しても、自己点滅の発生を抑えることができる照明装置を提供する。【解決手段】立面１１に取付可能な本体２０は、発光領域ＲＢおよび非発光領域ＲＣよりもセンサ領域ＲＡが上方となるように立面１１に取り付けられる。従って、センサ領域ＲＡの下側に発光領域ＲＢを配置し、発光領域ＲＢの下側に非発光領域ＲＣを配置した場合に、非発光領域ＲＣに白色系のプラグ等を接続して発光領域ＲＢからの光を反射しても、非発光領域ＲＣの反対側にある明るさセンサ２８は、反射光を検知しない。また、センサ領域ＲＡの下側に非発光領域ＲＣを配置し、非発光領域ＲＣの下側に発光領域ＲＢを配置した場合に、非発光領域ＲＣに白色系のプラグ４３等を接続すると、発光領域ＲＢからの光をプラグ４３等が遮るので、プラグ４３等からの反射光を検知しない。これにより、プラグ４３等からの反射光を検知することによる誤動作を防止することができ、自己点滅の発生を抑えることができる。【選択図】図１
2014154384.tif 000002
【特許請求の範囲】
【請求項１】
立面に取付可能な本体と、
前記本体に支持されて前記立面とは反対側を向く発光領域と、
前記発光領域に隣接して配置された非発光領域と、
前記発光領域および前記非発光領域のうちの一方に隣接して配置され、前記立面とは反対側の明るさを検知する明るさセンサを有するセンサ領域と、
前記本体に支持されて前記明るさセンサにより検知された明るさに対応して前記発光領域を点灯させる制御部とを備え、
前記発光領域および前記非発光領域よりも前記センサ領域が上方となるように前記立面に前記本体が取付可能な照明装置。
【請求項２】
請求項１に記載の照明装置において、
前記センサ領域は、前記発光領域に対して前記非発光領域とは反対側に隣接して配置されている照明装置。
【請求項３】
請求項１に記載の照明装置において、
前記センサ領域は、前記非発光領域に対して前記発光領域とは反対側に隣接して配置されている照明装置。
【請求項４】
請求項１〜請求項３のうちのいずれか１項に記載の照明装置において、
前記非発光領域にコンセントが設けられている照明装置。
【発明の詳細な説明】
【技術分野】
【０００１】
本発明は、夜間等の周囲が暗い場合に自動的に、これを感知して足下を照らす照明装置に関するものである。
【背景技術】
【０００２】
従来、明るさセンサにより正面付近の明るさを検知して、周囲が暗い場合に光源を点灯して足下を照らし、周囲が明るい場合に光源を消灯制御する照明装置が知られている（例えば、特許文献１参照）。
図８に示すように、特許文献１に記載のＬＥＤ足下灯（照明装置）１００は、壁面１０１に埋め込まれて使用される。ＬＥＤ足下灯１００は、下部に光源であるＬＥＤ１０２を有し、中央部に明るさセンサ１０３を有する。ＬＥＤ足下灯１００は、明るさセンサ１０３の上側にコンセント１０４を有する。
また、ＬＥＤ足下灯１００は、外周部に化粧カバー１０５を有し、ＬＥＤ１０２の前方にはレンズ１０６を有する。
【０００３】
従って、ＬＥＤ足下灯１００は、例えば夕方になって周囲が暗くなったことを明るさセンサ１０３が感知すると、ＬＥＤ１０２を点灯させて足下を照らす。
このとき、レンズ１０６を通すことによりＬＥＤ１０２の照射方向を実質的に非正面方向として、正面に対向する壁面からの反射光が、明るさセンサ１０３に入射しないようにしている。
これにより、一旦点灯制御されたＬＥＤ１０２が発する光によって、明るさセンサ１０３が、周囲が明るくなったと認識して消灯し、これを繰り返す、いわゆる自己点滅が発生するのを防止している。
【先行技術文献】
【特許文献】
【０００４】
【特許文献１】特開２００２−２８９０３１号公報（第１図）
【発明の概要】
【発明が解決しようとする課題】
【０００５】
しかしながら、図９に示すように、前述したような従来のＬＥＤ足下灯１００（照明装置）においては、コンセント１０４に白色系のプラグ１０７および電線（図示省略）を接続する場合がある。
このとき、ＬＥＤ１０２から床面１０８に光ＬＢ１が照射されると、照射された光ＬＢ１のうちの一部は、床面１０８で反射する（光ＬＢ２）。
そして、反射光ＬＢ２の一部はプラグ１０７等に当たり、その反射光ＬＢ３の一部が明るさセンサ１０３により検知されて、自己点滅が発生するおそれがあるという問題があった。
【０００６】
本発明は、従来の問題を解決するためになされたもので、プラグおよび電線を接続しても、自己点滅の発生を抑えることができる照明装置を提供することを目的とする。
【課題を解決するための手段】
【０００７】
本発明の照明装置は、立面に取付可能な本体と、前記本体に支持されて前記立面とは反対側を向く発光領域と、前記発光領域に隣接して配置された非発光領域と、前記発光領域および前記非発光領域のうちの一方に隣接して配置され、前記立面とは反対側の明るさを検知する明るさセンサを有するセンサ領域と、前記本体に支持されて前記明るさセンサにより検知された明るさに対応して前記発光領域を点灯させる制御部とを備え、前記発光領域および前記非発光領域よりも前記センサ領域が上方となるように前記立面に前記本体が取付可能なものである。
【０００８】
また、本発明の照明装置は、前記センサ領域は、前記発光領域に対して前記非発光領域とは反対側に隣接して配置されているものである。
【０００９】
そして、本発明の照明装置は、前記センサ領域は、前記非発光領域に対して前記発光領域とは反対側に隣接して配置されている。
【００１０】
さらに、本発明の照明装置は、前記非発光領域にコンセントが設けられているものである。
【発明の効果】
【００１１】
本発明では、照明装置は、発光領域および非発光領域よりもセンサ領域が上方となるように立面に取り付けられる。従って、センサ領域の下側に発光領域を配置し、発光領域の下側に非発光領域を配置した場合に、非発光領域に白色系のプラグ等を接続して発光領域からの光を反射しても、非発光領域の反対側にある明るさセンサは、プラグ等を検知しない。また、センサ領域の下側に非発光領域を配置し、非発光領域の下側に発光領域を配置した場合に、非発光領域に白色系のプラグ等を接続すると、発光領域からの光をプラグ等が遮るので、プラグ等を検知しない。これにより、プラグ等からの反射光を検知することによる誤動作を防止することができ、自己点滅の発生を抑えることができるという効果を有する照明装置を提供できる。
【図面の簡単な説明】
【００１２】
【図１】本発明に係る第１実施形態の照明装置の正面図
【図２】本発明に係る第１実施形態の照明装置の分解斜視図
【図３】本発明に係る第１実施形態の照明装置における光の軌跡を示す側面図
【図４】本発明に係る第２実施形態の照明装置の正面図
【図５】本発明に係る第３実施形態の照明装置の正面図
【図６】本発明に係る第４実施形態の照明装置の正面図
【図７】本発明に係る第４実施形態の照明装置における光の軌跡を示す側面図
【図８】従来の照明装置の正面図
【図９】従来の照明装置における問題点の説明図
【発明を実施するための形態】
【００１３】
（第１実施形態）
以下、本発明に係る第１実施形態の照明装置について、図面を用いて説明する。
図１に示すように、本発明に係る第１実施形態の照明装置１０Ａは、壁面（立面）１１の下部等に取り付けられて、床面１２を照明するのに用いることができる。
なお、以下の説明においては、床面１２側を下とし、反対側を上として説明する。
【００１４】
図１および図２に示すように、照明装置１０Ａは、壁面１１に設けられた取付孔（図示省略）に取付可能な取付金具（本体）２０を有する。
取付金具２０は、矩形板状のベース２１を呈しており、四辺は前方（照射方向）に折曲げられてリブ２２を形成している。ベース２１の中央部には矩形状の第１開口２３が設けられ、第１開口２３の下方には矩形状の第２開口２４が設けられている。
また、第１開口２３の左右の外縁部には、後方（ベース２１の裏面側）に折曲げ形成された取付部２５が設けられている。従って、取付金具２０は、取付部２５を、壁面１１の取付孔に取り付けることにより、固定される。
【００１５】
ベース２１の第１開口２３には、前方に開口（開口２６１）した矩形箱状のケース２６が収容されて取り付けられる。ケース２６の開口２６１には、制御基板（制御部）２７が取り付けられる。
制御基板２７の上部には、明るさセンサ２８が取り付けられている。明るさセンサ２８は制御基板２７によって制御されるとともに、検知信号を制御基板２７に送る。なお、明るさセンサ２８は、幅方向の端部に位置するのが望ましい。
制御基板２７の左右両端部には、前方に突出する一対の突起２７１が設けられている。
【００１６】
制御基板２７の突起２７１には、矩形板状の光源ユニット２９が取り付けられており、光源ユニット２９は制御基板２７によって点灯制御される。光源ユニット２９の中央部には、矩形の枠２９２が設けられており、枠２９２の内部には光源であるＬＥＤ３１が取り付けられている。枠２９２の上側には、一対の取付孔２９３が設けられている。
【００１７】
また、光源ユニット２９において制御基板２７の明るさセンサ２８に対応する位置には、貫通孔２９１が設けられており、明るさセンサ２８が前方に突出可能となっている。貫通孔２９１には、光源ユニット２９から突出する明るさセンサ２８を保護するとともに、側方からの光の侵入を防止する黒筒３２が取り付けられる。
黒筒３２は不透光性であり、内面は黒くなっている。これにより、明るさセンサ２８の誤作動を防止している。黒筒３２の先端には、明るさセンサ２８の前方を覆うレンズ３３が取り付けられる。
【００１８】
ベース２１の第２開口２４には、矩形箱状の端子台３４が収容されて取り付けられる。端子台３４の前面には、コンセント３５が設けられている。
【００１９】
ベース２１のリブ２２には、矩形板状のカバー３６が取り付けられる。カバー３６は、ケース２６の前面に取り付けられた光源ユニット２９および端子台３４を収容して、取付金具２０の前面を覆う。
カバー３６の上部には、明るさセンサ２８用の丸孔３７が設けられており、丸孔３７からレンズ３３の一部が前方に突出する。
このようにして、カバー３６の前面における上部に、明るさを検知するセンサ領域ＲＡが形成される。
【００２０】
カバー３６の中央部には矩形の第１開口部３８が設けられており、光源ユニット２９の枠２９２が第１開口部３８の内側に嵌まる。第１開口部３８には、乳白色の透光性のパネル３９が配置される。パネル３９の上部には一対の取付片３９１が突出して設けられており、この取付片３９１を光源ユニット２９の取付孔２９３に挿嵌して開閉可能に取り付けられる。
なお、パネル３９の両側面下部には、係止突起３９２が外側に突出して設けられており、パネル３９を取り付けて閉じた際に、閉じた状態で係止する。
このようにして、カバー３６の前面におけるセンサ領域ＲＡの下側に隣接して、照明光を発する発光領域ＲＢが形成される。
【００２１】
カバー３６の下部には、矩形の第２開口部４１が設けられている。第２開口部４１は端子台３４の前方に位置し、コンセント３５部分が挿入されて、コンセント３５の前面が、カバー３６の前方に露出する。
このようにして、カバー３６の前面における発光領域ＲＢの下側に隣接して、照明光を発しない非発光領域ＲＣが形成される。
【００２２】
次に、照明装置１０Ａの動作について説明する。
照明装置１０Ａは、例えば壁面１１の下部に取り付けられる。センサ領域ＲＡの明るさセンサ２８が、壁面１１とは反対側（前側）の周囲が暗くなったことを検知すると、制御基板２７は、発光領域ＲＢの光源ユニット２９に設けられているＬＥＤ３１を点灯させる。これにより、パネル３９が発光して、壁面１１と反対側（前側）の床面１２を照明する。
また、センサ領域ＲＡの明るさセンサ２８が、周囲が明るくなったことを検知すると、制御基板２７は発光領域ＲＢのＬＥＤ３１を消灯させる。
【００２３】
このとき、図３に示すように、コンセント３５に、例えば白色系のプラグ４３が差し込まれた場合に、発光領域ＲＢの光源ユニット２９から発せられた光ＬＢＡ１は、プラグ４３の上面に当たって上方に反射する（反射光ＬＢＡ２）。反射光ＬＢＡ２は、上方へ反射するが、センサ領域ＲＡの明るさセンサ２８によって感知されない。
【００２４】
本発明に係る第１実施形態の照明装置１０Ａの作用効果について説明する。
壁面１１に取付可能な取付金具２０は、発光領域ＲＢと、非発光領域ＲＣと、センサ領域ＲＡと、を有する。
発光領域ＲＢは、取付金具２０に支持されて壁面１１とは反対側（前側）を向いている。非発光領域ＲＣは、発光領域ＲＢに隣接して配置されている。センサ領域ＲＡは、発光領域ＲＢおよび非発光領域ＲＣのうちの一方に隣接して配置され、壁面１１とは反対側の明るさを検知する明るさセンサ２８を有する。
【００２５】
そして、取付金具２０に支持された制御基板２７が、明るさセンサ２８によって検知された明るさに対応して、発光領域ＲＢを点灯、消灯させる。このとき、発光領域ＲＢおよび非発光領域ＲＣよりもセンサ領域ＲＡが上方となるように壁面１１に取付金具２０を取り付ける。
これにより、センサ領域ＲＡの下側に発光領域ＲＢを配置し、発光領域ＲＢの下側に非発光領域ＲＣを配置した場合に、非発光領域ＲＣに白色系のプラグ４３等を接続して発光領域ＲＢからの光を反射しても、非発光領域ＲＣの反対側にある明るさセンサ２８は、プラグ４３等を検知しない。
【００２６】
また、センサ領域ＲＡの下側に非発光領域ＲＣを配置し、非発光領域ＲＣの下側に発光領域ＲＢを配置した場合に、非発光領域ＲＣに白色系のプラグ４３等を接続すると、発光領域ＲＢからの光をプラグ４３等が遮るので、プラグ４３等を検知しない。
これにより、プラグ４３等からの反射光を検知することによる誤動作を防止することができ、自己点滅の発生を抑えることができる。
【００２７】
また、センサ領域ＲＡは、発光領域ＲＢに対して非発光領域ＲＣとは反対側に隣接して配置されている。すなわち、センサ領域ＲＡの下側に発光領域ＲＢが位置し、発光領域ＲＢの下側に非発光領域ＲＣが位置する。
このため、図３に示すように、非発光領域ＲＣに白色系のプラグ４３等を接続して発光領域ＲＢからの光を反射しても、非発光領域ＲＣの反対側にある明るさセンサ２８は、プラグ４３等を検知しない。
【００２８】
さらに、非発光領域ＲＣにコンセント３５が設けられているので、コンセント３５にプラグ４３および電線を接続できる。このとき、コンセント３５に白色系のプラグ等を接続しても、センサ領域ＲＡが発光領域ＲＢを挟んで非発光領域ＲＣの反対側に位置するので、明るさセンサ２８はプラグ等を検知しない。
このため、プラグ等からの反射光を検知することによる誤動作を防止することができ、自己点滅の発生を抑えることができる。
【００２９】
（第２実施形態）
次に、本発明に係る第２実施形態の照明装置について説明する。
なお、前述した第１実施形態の照明装置１０Ａと共通する部位には同じ符号を付して、重複する説明を省略することとする。
図４に示すように、第２実施形態の照明装置１０Ｂでは、非発光領域ＲＣにコンセント３５（図１参照）が設けられておらず、蓋４２が取り付けられている。
【００３０】
以上、説明した本発明に係る第２実施形態の照明装置１０Ｂによれば、センサ領域ＲＡが発光領域ＲＢの上側に位置する。このため、明るさセンサ２８は、発光領域ＲＢが床面１２を照明した際に、床面１２からの反射光を検知しにくい。
これにより、自己点滅の発生を抑えることができる。
【００３１】
（第３実施形態）
次に、本発明に係る第３実施形態の照明装置について説明する。
なお、前述した第１実施形態の照明装置１０Ａおよび第２実施形態の照明装置１０Ｂと共通する部位には同じ符号を付して、重複する説明を省略することとする。
図５に示すように、第３実施形態の照明装置１０Ｃでは、非発光領域ＲＣに２個のコンセント３５が並列して設けられている。
従って、取付金具２０やカバー３６等の部品は、第１実施形態の照明装置１０Ａに比して、幅広となっている。
【００３２】
以上、説明した本発明に係る第３実施形態の照明装置１０Ｃによれば、前述した第１実施形態の照明装置１０Ａと同様の作用、効果を有し、コンセント３５に白色系のプラグ等を接続しても、自己点滅の発生を抑えることができる。
また、コンセント３５の数が多いので、電源としての利用価値が向上する。
【００３３】
（第４実施形態）
次に、本発明に係る第４実施形態の照明装置について説明する。
なお、前述した第１実施形態の照明装置１０Ａ〜第３実施形態の照明装置１０Ｃと共通する部位には同じ符号を付して、重複する説明を省略することとする。
【００３４】
図６に示すように、第４実施形態の照明装置１０Ｄでは、中央にコンセント３５が設けられた非発光領域ＲＣを有する。非発光領域ＲＣの上側に、センサ領域ＲＡを有し、非発光領域ＲＣの下側に，発光領域ＲＢを有する。
すなわち、センサ領域ＲＡは、非発光領域ＲＣに対して発光領域ＲＢとは反対側に隣接して配置されている。
【００３５】
図７に示すように、コンセント３５に、例えば白色系のプラグ４３が差し込まれた場合に、発光領域ＲＢの光源ユニット２９から発せられた光ＬＢＤ１は、下方に照射されて床面１２に当たり、上方へ反射する（反射光ＬＢＤ２）。反射光ＬＢＤ２は、上方に向かうが、プラグ４３に当たって遮られるので、センサ領域ＲＡのセンサ２８はこれを感知しない。
【００３６】
以上、説明した本発明に係る第４実施形態の照明装置１０Ｄによれば、前述した第１実施形態の照明装置１０Ａと同様の作用、効果を有し、コンセント３５に白色系のプラグ４３等を接続しても、自己点滅の発生を抑えることができる。
【００３７】
本発明の照明装置は、前述した各実施形態に限定されるものでなく、適宜な変形、改良等が可能である。
すなわち、前述した各実施形態においては、壁面に取り付ける足下灯として用いる場合を例示したが、これに限るものではない。例えば、屋内あるいは屋外にかかわらず、通路、廊下、階段等に用いることができる。
【符号の説明】
【００３８】
１０Ａ、１０Ｂ、１０Ｃ、１０Ｄ  照明装置
１１  壁面（立面）
２０  取付金具（本体）
２７  制御基板（制御部）
２８  明るさセンサ
３５  コンセント
ＲＡ  センサ領域
ＲＢ  発光領域
ＲＣ  非発光領域
【図１】
2014154384.tif 000003
【図２】
2014154384.tif 000004
【図３】
2014154384.tif 000005
【図４】
2014154384.tif 000006
【図５】
2014154384.tif 000007
【図６】
2014154384.tif 000008
【図７】
2014154384.tif 000009
【図８】
2014154384.tif 000010
【図９】
2014154384.tif 000011